(57)【要約】      （修正有）【課題】安価な構成で操作性を向上する画像読取装置、及び、画像読取装置における制御方法を提供する。【解決手段】キオスク端末は、挿入口と、ラインセンサ１３と、制御部１１とを有する画像読取モジュール２を備える。ラインセンサ１３は、読取可能範囲を有する。制御部１１は、検出モードでパスポート端位置を検出し、検出したパスポート端位置に基づいて、ラインセンサ１３の走査モードを、検出モードから読取モードへ移行させるか否かを判断する。【選択図】図４
2019110419.tif 000002
【特許請求の範囲】
【請求項１】
挿入口と、
所定の読取可能範囲を有するラインセンサと、
前記挿入口に挿入された媒体の一端の前記読取可能範囲に対する位置を前記ラインセンサを用いて検出する走査モードである第一モードで前記位置を検出し、検出した前記位置に基づいて、前記走査モードを、前記第一モードから、前記媒体の画像を前記ラインセンサを用いて読み取るモードである第二モードへ移行させるか否かを判断する制御部と、
を具備する画像読取装置。
【請求項２】
前記制御部は、前記第一モードでは、前記ラインセンサを停止させて前記位置を検出する、
請求項１に記載の画像読取装置。
【請求項３】
前記制御部は、前記第一モードでは、前記ラインセンサを前記一端に追従させて前記位置を検出する、
請求項１に記載の画像読取装置。
【請求項４】
前記制御部は、前記位置と、前記一端の移動速度とに基づいて、前記走査モードを前記第一モードから前記第二モードへ移行させるか否かを判断する、
請求項１に記載の画像読取装置。
【請求項５】
前記媒体の挿入方向と、前記ラインセンサが有する複数の撮像素子の配列方向とが平行である、
請求項１に記載の画像読取装置。
【請求項６】
前記制御部は、前記走査モードを前記第一モードから前記第二モードへ移行させると判断したときに、操作受付無しに、前記ラインセンサによる前記画像の読取を開始する、
請求項１に記載の画像読取装置。
【請求項７】
前記制御部は、前記媒体の挿入開始後に、前記走査モードを前記第一モードから前記第二モードへ移行させると判断しないまま所定時間が経過したときは、警告を発する、
請求項１に記載の画像読取装置。
【請求項８】
前記制御部は、前記画像の読取完了後に、所定時間内に前記媒体の排出が完了しないときは、警告を発する、
請求項１に記載の画像読取装置。
【請求項９】
前記画像の読取時に前記媒体に光を照射する光源、をさらに具備し、
前記制御部は、前記第一モードにおいて前記光源を点灯させることにより前記挿入口への前記媒体の挿入を促す、
請求項１に記載の画像読取装置。
【請求項１０】
前記媒体はパスポートであり、
前記制御部は、検出された前記位置に基づいて、前記パスポートにおけるＭＲＺの全範囲が前記読取可能範囲に入ったと判断したときに、前記走査モードを前記第一モードから前記第二モードへ移行させる、
請求項１に記載の画像読取装置。
【請求項１１】
挿入口と、所定の読取可能範囲を有するラインセンサとを具備する画像読取装置における制御方法であって、
前記挿入口に挿入された媒体の一端の前記読取可能範囲に対する位置を前記ラインセンサを用いて検出する走査モードである第一モードで前記位置を検出し、
検出した前記位置に基づいて、前記走査モードを、前記第一モードから、前記媒体の画像を前記ラインセンサを用いて読み取るモードである第二モードへ移行させるか否かを判断する、
制御方法。
【発明の詳細な説明】
【技術分野】
【０００１】
本発明は、画像読取装置、及び、画像読取装置における制御方法に関する。
【背景技術】
【０００２】
近年、公共施設や交通機関、店舗等において、不特定多数の人が必要な情報にアクセスしたり様々なサービスを利用したりする際に「キオスク（ＫＩＯＳＫ）端末」と呼ばれる情報端末が利用されている。
【０００３】
また最近、パスポートに記載された情報（以下では「パスポート情報」と呼ぶことがある）を空港等に設置されたキオスク端末によって読み取ることにより、例えば自動チェックインのような、便利なサービスを提供することが検討されている。
【先行技術文献】
【特許文献】
【０００４】
【特許文献１】特開２００１−２３８０３９号公報
【特許文献２】特開２０１１−１１９８１５号公報
【特許文献３】特開２０１２−２３５３６２号公報
【発明の概要】
【発明が解決しようとする課題】
【０００５】
しかしながら、キオスク端末によるパスポート情報の読取の際に、パスポートの所有者（以下では「パスポート所有者」と呼ぶことがある）がパスポートをキオスク端末に載せた後、別途、パスポート情報の読取指示をキオスク端末に与えるのでは、キオスク端末に対するパスポート所有者の操作が煩雑になってしまう。一方で、パスポートがキオスク端末に載せられたことを検出する専用のセンサをキオスク端末に別途設けたのでは、キオスク端末の製造コストが上昇してしまう。
【０００６】
開示の技術は、上記に鑑みてなされたものであって、安価な構成で操作性を向上することを目的とする。
【課題を解決するための手段】
【０００７】
画像読取装置は、挿入口と、ラインセンサと、制御部とを有する。前記ラインセンサは、所定の読取可能範囲を有する。前記制御部は、前記挿入口に挿入された媒体の一端の前記読取可能範囲に対する位置を前記ラインセンサを用いて検出する走査モードである第一モードで前記位置を検出し、検出した前記位置に基づいて、前記走査モードを、前記第一モードから、前記媒体の画像を前記ラインセンサを用いて読み取るモードである第二モードへ移行させるか否かを判断する。
【発明の効果】
【０００８】
開示の態様によれば、安価な構成で操作性を向上することができる。
【図面の簡単な説明】
【０００９】
【図１】図１は、実施例１のキオスク端末の外観の一例を示す図である。
【図２】図２は、実施例１の画像読取モジュールの構造の一例を示す図である。
【図３】図３は、実施例１のパスポートの一例を示す図である。
【図４】図４は、実施例１の画像読取モジュールの構成例を示す図である。
【図５】図５は、実施例１の画像読取モジュールの動作例の説明に供する図である。
【図６】図６は、実施例１の画像読取モジュールの動作例の説明に供する図である。
【図７】図７は、実施例１の画像読取モジュールの動作例の説明に供する図である。
【図８】図８は、実施例１の画像読取モジュールの動作例の説明に供する図である。
【図９】図９は、実施例１のキオスク端末の処理の一例の説明に供するフローチャートである。
【図１０】図１０は、実施例１のキオスク端末の処理の一例の説明に供するフローチャートである。
【図１１】図１１は、実施例１のキオスク端末の処理の一例の説明に供するフローチャートである。
【図１２】図１２は、実施例２の画像読取モジュールの構造の一例を示す図である。
【図１３】図１３は、実施例２の画像読取モジュールの動作例の説明に供する図である。
【図１４】図１４は、実施例２の画像読取モジュールの動作例の説明に供する図である。
【図１５】図１５は、実施例２の画像読取モジュールの動作例の説明に供する図である。
【図１６】図１６は、実施例２のキオスク端末の処理の一例の説明に供するフローチャートである。
【図１７】図１７は、実施例３の画像読取モジュールの動作例の説明に供する図である。
【図１８】図１８は、実施例４の画像読取モジュールの構造の一例を示す図である。
【図１９】図１９は、実施例４の画像読取モジュールの構造の一例を示す図である。
【発明を実施するための形態】
【００１０】
以下に、本願の開示する画像読取装置、及び、画像読取装置における制御方法の実施例を図面に基づいて説明する。なお、この実施例により本願の開示する画像読取装置、及び、画像読取装置における制御方法が限定されるものではない。また、実施例において同一の機能を有する構成、及び、同一の処理を行うステップには同一の符号を付す。
【００１１】
以下では、キオスク端末を画像読取装置の一例に挙げて説明する。しかし、本願に開示の技術を適用可能な画像読取装置はキオスク端末に限定されない。また以下の説明では、画像読取装置の一例であるキオスク端末が読取対象とする媒体の一例としてパスポートを挙げる。しかし、本願に開示の技術を適用された画像読取装置が読取対象とする媒体はパスポートに限定されない。
【００１２】
［実施例１］
＜キオスク端末の外観＞
図１は、実施例１のキオスク端末の外観の一例を示す図である。図１において、キオスク端末１は、タッチパネル１５と、画像読取モジュール２とを有する。画像読取モジュール２は、挿入口１６を有する。
【００１３】
＜画像読取モジュールの構造＞
図２は、実施例１の画像読取モジュールの構造の一例を示す図である。図２の上部の図は側面透過図であり、図２の下部の図は上面図である。図２において、画像読取モジュール２は、上部カバー２１と、筐体２２と、原稿台ガラス２３と、イメージセンサモジュール２４と、パスポートガイド２５とを有する。画像読取モジュール２において、上部カバー２１と原稿台ガラス２３との間には、パスポートＰＰを画像読取モジュール２内へ挿入するための挿入口１６が形成される。画像読取モジュール２によるパスポート情報の読取の際には、パスポートＰＰは、パスポート所有者により、パスポートＰＰの見開き面を筐体２２の上面及び原稿台ガラス２３の上面に接触させた状態で（つまり、パスポートＰＰを裏向きにした状態で）、手動で、パスポートＰＰの一端（以下では「パスポート端」と呼ぶことがある）ＥＧを先頭にして挿入口１６へ挿入される。よって、画像読取モジュール２に対するパスポートＰＰの挿入方向は＋Ｙ方向となる。
【００１４】
図３は、実施例１のパスポートの一例を示す図である。図３において、パスポートＰＰの最終ページの見開き面は、ＭＲＺ（Machine Readable Zone）を有する。ＭＲＺには、例えば、パスポートＰＰの発行国のコードと、パスポート所有者の氏名やパスポート所有者を一意に特定可能なＩＤ番号等の身元情報とを含むパスポート情報が特定の書式で記載されている。画像読取モジュール２によるパスポート情報の読取の際には、パスポート所有者は、例えば、ＭＲＺを有するページ（以下では「ＭＲＺページ」と呼ぶことがある）を筐体２２の上面及び原稿台ガラス２３の上面に接触させた状態で、ＭＲＺページの長辺をパスポート端ＥＧにして、ＭＲＺページの長辺を先頭にしてパスポートＰＰを挿入口１６へ挿入する。
【００１５】
＜画像読取モジュールの構成＞
図４は、実施例１の画像読取モジュールの構成例を示す図である。図４において、画像読取モジュール２は、制御部１１と、イメージセンサモジュール２４と、駆動部１４と、記憶部１７とを有する。イメージセンサモジュール２４は、光源１２と、ラインセンサ１３とを有する。ラインセンサ１３は、一列に配列された複数の撮像素子を有し、例えば、ＣＩＳ（Contact  Image  Sensor）により実現される。光源１２は、例えば、ラインセンサ１３が有する複数の撮像素子と平行に一列に配列された複数のＬＥＤ（Light Emitting Diode）により実現される。光源１２は、制御部１１の制御の下で、パスポートＰＰの画像の読取時にパスポートＰＰに光を照射する。
【００１６】
＜画像読取モジュールの動作＞
図５〜図８は、実施例１の画像読取モジュールの動作例の説明に供する図である。
【００１７】
図５の上部左側の図は正面透過図であり、図５の上部右側の図は側面透過図であり、図５の下部の図は上面透過図である。
【００１８】
図５に示すように、画像読取モジュール２において、原稿台ガラス２３の上面の露出面の全領域が、ラインセンサ１３の所定の読取可能範囲ＲＲとなっている。また、読取可能範囲ＲＲの一部に、許容範囲ＡＲ１が設定されている。許容範囲ＡＲ１は、Ｘ軸方向では、読取可能範囲ＲＲの全範囲に渡って設定され、かつ、Ｙ軸方向では、読取可能範囲ＲＲの終端から−Ｙ方向へ向かう一部の範囲に設定されている。例えば、Ｙ軸方向では、読取可能範囲ＲＲの全長の５分の１の長さが許容範囲ＡＲ１の全長として設定される。
【００１９】
イメージセンサモジュール２４は、読取可能範囲ＲＲから外れた位置を待機位置（ホームポジション）ＨＰ１にして待機し、制御部１１の制御の下で、駆動部１４の駆動により筐体２２内をＸ軸方向で移動可能である。また、ラインセンサ１３はＹ軸方向に一列に配列された複数の撮像素子を有するため、画像読取モジュール２に対するパスポートＰＰの挿入方向（＋Ｙ方向）と、ラインセンサ１３が有する複数の撮像素子の配列方向（Ｙ軸方向）とは互いに平行になる。また、イメージセンサモジュール２４の主走査方向はＹ軸方向となり、イメージセンサモジュール２４の副走査方向はＸ軸方向となる。
【００２０】
制御部１１は、挿入口１６に挿入されたパスポートＰＰのパスポート端ＥＧの読取可能範囲ＲＲに対するＹ軸方向での位置（以下では「パスポート端位置」と呼ぶことがある）をラインセンサ１３を用いて検出する走査モード（以下では「検出モード」と呼ぶことがある）では、イメージセンサモジュール２４を待機位置ＨＰ１から停止位置ＳＰ１に移動させて停止位置ＳＰ１で停止させる。また、制御部１１は、パスポートＰＰの画像をラインセンサ１３を用いて読み取る走査モード（以下では「読取モード」と呼ぶことがある）では、ラインセンサ１３が読取可能範囲ＲＲの全範囲を走査するように、イメージセンサモジュール２４をＸ軸方向で移動させる。また、図５の下部の図（上面透過図）に示すように、イメージセンサモジュール２４の挿入口１６側の一部は上部カバー２１に覆われることなく目視可能である。
【００２１】
図６には、検出モードにおける画像読取モジュール２の動作例を示す。図６において、パスポートＰＰは、挿入口１６を入口とし、挿入口１６から突き当たり部２１１へ向かって挿入される。突き当たり部２１１は、上部カバー２１の側壁で形成される。また、時刻ｔ０以前の時刻に、制御部１１は、イメージセンサモジュール２４を待機位置ＨＰ１（図５）から停止位置ＳＰ１（図５）へ移動させる。また、制御部１１は、検出モードの時刻ｔ０〜ｔ３の各時刻において、イメージセンサモジュール２４を停止位置ＳＰ１で停止させたまま、ラインセンサ１３を用いて、一定の周期Ｔで、パスポート端位置と、パスポート端ＥＧの＋Ｙ方向での移動速度（以下では「パスポート端速度」と呼ぶことがある）とを検出し、検出したパスポート端位置及びパスポート端速度を時刻ｔ０〜ｔ３の各時刻に対応付けて記憶部１７に記憶させる。ラインセンサ１３はＹ軸方向に一列に配列された複数の撮像素子を有するため、制御部１１は、停止位置ＳＰ１で停止したラインセンサ１３を用いて取得される画像の画素値に基づいてパスポート端位置を検出することが可能である。ラインセンサ１３上でパスポートＰＰにより覆われている箇所の輝度値はパスポートＰＰにより覆われていない箇所の輝度値よりも大きくなるため、例えば、制御部１１は、読取可能範囲ＲＲ内の停止位置ＳＰ１のＹ軸上で取得される画像の輝度値の変化量が閾値ＴＨ１以上となる位置をパスポート端位置として検出する。また、周期Ｔは一定であるため、制御部１１は、時刻ｔ０〜ｔ３の各々の時刻におけるパスポート端位置と、時刻ｔ０〜ｔ３の各々の時刻とに基づいて、パスポート端速度を検出することが可能である。
【００２２】
図６では、イメージセンサモジュール２４が停止位置ＳＰ１で停止後、初めて時刻ｔ０で、制御部１１によりパスポート端ＥＧが検出される。また、パスポート端ＥＧは、時刻ｔ１では未だ許容範囲ＡＲ１に達しておらず、時刻ｔ２で許容範囲ＡＲ１に達する。そして、時刻ｔ３で、パスポート端ＥＧは、上部カバー２１の側壁（つまり、突き当たり部２１１）に突き当たる。
【００２３】
図７には、図６の動作例の時刻ｔ０〜ｔ３の各々に対応するパスポート端位置ＥＰ０〜ＥＰ３を示し、図８には、図６の動作例の時刻ｔ０〜ｔ３の各々に対応するパスポート端速度ＥＳ０〜ＥＳ３を示す。図７に示すように、時刻ｔ０でのパスポート端位置ＥＰ０及び時刻ｔ１でのパスポート端位置ＥＰ１は許容範囲ＡＲ１内にない。一方で、時刻ｔ２でのパスポート端位置ＥＰ２及び時刻ｔ３でのパスポート端位置ＥＰ３は許容範囲ＡＲ１内にある。また、図８に示すように、時刻ｔ０でのパスポート端速度ＥＳ０、時刻ｔ１でのパスポート端速度ＥＳ１、及び、時刻ｔ２でのパスポート端速度ＥＳ２は、許容速度ＡＳ１内にない。一方で、時刻ｔ３でのパスポート端速度ＥＳ３は許容速度ＡＳ１内にある。そこで、制御部１１は、パスポート端位置が許容範囲ＡＲ１内にないか、または、パスポート端速度が許容速度ＡＳ１内にない時刻ｔ０，ｔ１，ｔ２では、パスポートＰＰの挿入が完了していないと判断し、ラインセンサ１３の走査モードを、検出モードで維持したまま、読取モードへ移行させない。一方で、制御部１１は、パスポート端位置が許容範囲ＡＲ１内にあり、かつ、パスポート端速度が許容速度ＡＳ１内にある時刻ｔ３で、パスポートＰＰの挿入が完了したと判断し、ラインセンサ１３の走査モードを、検出モードから読取モードへ移行させる。このように、制御部１１は、パスポート端位置及びパスポート端速度に基づいて、ラインセンサ１３の走査モードを検出モードから読取モードへ移行させるか否か判断する。
【００２４】
ラインセンサ１３の走査モードを検出モードから読取モードへ移行させるか否かをパスポート端位置に基づいて判断することで、パスポート端ＥＧが許容範囲ＡＲ１に達してパスポート情報が記載された見開き面のページの全範囲が読取可能範囲ＲＲに確実に入ってからパスポートＰＰの画像の読取を開始することができるため、パスポート情報の一部しか読み取れないといった、パスポートＰＰの画像の読取の失敗を防止することができる。
【００２５】
さらに、ラインセンサ１３の走査モードを検出モードから読取モードへ移行させるか否かをパスポート端速度に基づいて判断することで、パスポートＰＰの停止が確認されてからパスポートＰＰの画像の読取を開始することができるため、読み取られた画像にぶれが生じることを防止することができる。
【００２６】
＜キオスク端末の処理＞
図９〜図１１は、実施例１のキオスク端末の処理の一例の説明に供するフローチャートである。
【００２７】
図９のステップＳＴ０１において、制御部１１は、パスポートＰＰの挿入口１６への挿入をパスポート所有者へ促すための挿入指示をタッチパネル１５に表示させる。
【００２８】
次いで、ステップＳＴ０３では、挿入検出処理が行われる。挿入検出処理の詳細は後述する。
【００２９】
挿入検出処理の終了後、ステップＳＴ０５では、制御部１１は、読取ボタンをタッチパネル１５に表示させる。
【００３０】
次いで、ステップＳＴ０７では、制御部１１は、制御部１１が有するタイマＴＭ１を起動させる。タイマＴＭ１は、所定の経過時間を満了時間として設定されている。
【００３１】
次いで、ステップＳＴ０９では、制御部１１は、ステップＳＴ０５でタッチパネル１５に表示された読取ボタンがタッチされたか否か、及び、タイマＴＭ１が満了したか否かを判断する。読取ボタンがタッチされるまで、または、タイマＴＭ１が満了するまでは（ステップＳＴ０９：Ｎｏ）、ステップＳＴ０９の処理が繰り返し行われる。
【００３２】
読取ボタンがタッチされるか、または、タイマＴＭ１が満了すると（ステップＳＴ０９：Ｙｅｓ）、ステップＳＴ１１において、制御部１１は、ラインセンサ１３を用いてパスポートＰＰの画像を読み取る。制御部１１は、Ｙ軸方向をラインセンサ１３の主走査方向とし、Ｘ軸方向をラインセンサ１３の副走査方向として、イメージセンサモジュール２４を待機位置ＨＰ１から−Ｘ方向へ移動させながらパスポートＰＰの画像を読み取る。パスポートＰＰの画像の読取完了後、制御部１１は、イメージセンサモジュール２４を待機位置ＨＰ１へ復帰させる。
【００３３】
パスポートＰＰの画像の読取後、ステップＳＴ１３では、制御部１１は、パスポートＰＰの読取完了通知をタッチパネル１５に表示させる。読取完了通知の内容は、例えば、「パスポートの読取が完了しました。パスポートを取り出して下さい。」というものである。
【００３４】
次いで、ステップＳＴ１５では、排出検出処理が行われる。排出検出処理の詳細は後述する。
【００３５】
図９において、ステップＳＴ０１，ＳＴ０３の処理は、検出モードにおいて行われる処理であり、ステップＳＴ０５〜ＳＴ１５の処理は、読取モードにおいて行われる処理である。
【００３６】
＜挿入検出処理＞
図１０にステップＳＴ０３で行われる挿入検出処理の詳細を示す。
【００３７】
挿入検出処理では、まずステップＳＴ１０１において、制御部１１は、イメージセンサモジュール２４を待機位置ＨＰ１から停止位置ＳＰ１へ移動させ、停止位置ＳＰ１で停止させたままにする。
【００３８】
次いで、ステップＳＴ１０３では、制御部１１は、光源１２を点灯させる。上記のように、イメージセンサモジュール２４の挿入口１６側の一部は上部カバー２１に覆われることなく目視可能であるため（図５の下部の図（上面透過図））、停止位置ＳＰ１で停止中のイメージセンサモジュール２４が有する光源１２がパスポートＰＰの挿入前に点灯することにより、検出モードにおいて、光源１２の点灯は、パスポート所有者に挿入口１６へのパスポートＰＰの挿入を促すインジケータとして機能する。このように、光源１２の点灯がインジケータとして機能することにより、正しい位置へのパスポートＰＰの挿入をパスポート所有者に対して促すことができる。
【００３９】
なお、制御部１１は、検出モードにおける光源１２の明るさを、読取モードにおける光源１２の明るさよりも低下させても良い。こうすることで、検出モードにおいてイメージセンサモジュール２４の一部を目視することにより光源１２の一部を目視することになるパスポート所有者が感じる眩しさを軽減することができる。
【００４０】
また、制御部１１は、検出モードにおける光源１２を点灯させる代わりに、点滅させても良い。検出モードにおいて光源１２が点滅することにより、インジケータとしての機能を高めることができる。
【００４１】
次いで、ステップＳＴ１０５では、制御部１１は、制御部１１が有するタイマＴＭ２を起動させる。タイマＴＭ２は、所定の経過時間を満了時間として設定されている。
【００４２】
次いで、ステップＳＴ１０７では、制御部１１は、イメージセンサモジュール２４を停止位置ＳＰ１で停止後にパスポート端ＥＧが初めて検出されたか否かを判断する。パスポート端ＥＧが初めて検出された場合（つまり、パスポートＰＰの挿入が開始された場合）は（ステップＳＴ１０７：Ｙｅｓ）、処理はステップＳＴ１１３へ進み、パスポート端ＥＧが検出されない間は（ステップＳＴ１０７：Ｎｏ）、処理はステップＳＴ１０９へ進む。
【００４３】
ステップＳＴ１０９では、制御部１１は、タイマＴＭ２が満了したか否かを判断する。タイマＴＭ２が満了している場合は（ステップＳＴ１０９：Ｙｅｓ）、処理はステップＳＴ１１１へ進み、タイマＴＭ２が満了していない場合は（ステップＳＴ１０９：Ｎｏ）、処理はステップＳＴ１０７へ戻る。
【００４４】
ステップＳＴ１１１では、制御部１１は、ガイダンスＧ１をタッチパネル１５に表示させる。ガイダンスＧ１の内容は、例えば、「インジケータが点灯している箇所の挿入口にパスポートを挿入して下さい。」というものである。ステップＳＴ１１１の処理後、処理はステップＳＴ１０７へ戻る。
【００４５】
ステップＳＴ１１３では、制御部１１は、ガイダンスＧ１がタッチパネル１５に表示されているか否かを判断する。ガイダンスＧ１がタッチパネル１５に表示されている場合は（ステップＳＴ１１３：Ｙｅｓ）、処理はステップＳＴ１１５へ進み、ガイダンスＧ１がタッチパネル１５に表示されていない場合は（ステップＳＴ１１３：Ｎｏ）、ステップＳＴ１１５の処理が行われることなく処理はステップＳＴ１１７へ進む。
【００４６】
ステップＳＴ１１５では、制御部１１は、タッチパネル１５に表示されているガイダンスＧ１を消去する。ステップＳＴ１１５の処理後、処理はステップＳＴ１１７へ進む。
【００４７】
ステップＳＴ１１７では、制御部１１は、制御部１１が有するタイマＴＭ３を起動させる。タイマＴＭ３は、所定の経過時間を満了時間として設定されている。
【００４８】
次いで、ステップＳＴ１１９では、制御部１１は、パスポート端位置及びパスポート端速度を検出し、検出したパスポート端位置及びパスポート端速度を記憶部１７に記憶させる。
【００４９】
次いで、ステップＳＴ１２１では、制御部１１は、ステップＳＴ１１９で検出したパスポート端位置が許容範囲ＡＲ１内にあるか否かを判断する。パスポート端位置が許容範囲ＡＲ１内にある場合は（ステップＳＴ１２１：Ｙｅｓ）、処理はステップＳＴ１２７へ進み、パスポート端位置が許容範囲ＡＲ１内にない場合は（ステップＳＴ１２１：Ｎｏ）、処理はステップＳＴ１２３へ進む。
【００５０】
ステップＳＴ１２３では、制御部１１は、タイマＴＭ３が満了したか否かを判断する。タイマＴＭ３が満了している場合は（ステップＳＴ１２３：Ｙｅｓ）、処理はステップＳＴ１２５へ進み、タイマＴＭ３が満了していない場合は（ステップＳＴ１２３：Ｎｏ）、処理はステップＳＴ１１９へ戻る。
【００５１】
ステップＳＴ１２５では、制御部１１は、ガイダンスＧ２をタッチパネル１５に表示させる。ガイダンスＧ２の内容は、例えば、「パスポートを奥まで挿入して下さい。」というものである。ステップＳＴ１２５の処理後、処理はステップＳＴ１１９へ戻る。
【００５２】
ステップＳＴ１２７では、制御部１１は、ガイダンスＧ２がタッチパネル１５に表示されているか否かを判断する。ガイダンスＧ２がタッチパネル１５に表示されている場合は（ステップＳＴ１２７：Ｙｅｓ）、処理はステップＳＴ１２９へ進み、ガイダンスＧ２がタッチパネル１５に表示されていない場合は（ステップＳＴ１２７：Ｎｏ）、ステップＳＴ１２９の処理が行われることなく処理はステップＳＴ１３１へ進む。
【００５３】
ステップＳＴ１２９では、制御部１１は、タッチパネル１５に表示されているガイダンスＧ２を消去する。ステップＳＴ１２９の処理後、処理はステップＳＴ１３１へ進む。
【００５４】
ステップＳＴ１３１では、制御部１１は、ステップＳＴ１１９で検出したパスポート端速度が許容速度ＡＳ１内にあるか否かを判断する。パスポート端速度が許容速度ＡＳ１内に収まるまで（ステップＳＴ１３１：Ｎｏ）、ステップＳＴ１３１の処理が繰り返し行われる。パスポート端速度が許容速度ＡＳ１内に収まると（ステップＳＴ１３１：Ｙｅｓ）、処理はステップＳＴ１３３へ進む。
【００５５】
ステップＳＴ１３３では、制御部１１は、パスポートＰＰの挿入完了通知をタッチパネル１５に表示させる。挿入完了通知の内容は、例えば、「パスポートの挿入が完了しました。パスポートの読取を開始します。」というものである。
【００５６】
そして、ステップＳＴ１３５では、制御部１１は、イメージセンサモジュール２４を停止位置ＳＰ１から待機位置ＨＰ１へ移動させて待機位置ＨＰ１へ復帰させる。ステップＳＴ１３５の処理後、処理はステップＳＴ０５（図９）へ進む。
【００５７】
このように、制御部１１は、所定の経過時間を満了時間として設定されているタイマＴＭ３がパスポートＰＰの挿入開始後に満了したときに（ステップＳＴ１２３：Ｙｅｓ）、ガイダンスＧ２をタッチパネル１５に表示させる。また、パスポート端位置が許容範囲ＡＲ１内にない間は（ステップＳＴ１２１：Ｎｏ）、処理はステップＳＴ０５（図９）へ進むことはないため、ラインセンサ１３の走査モードが検出モードから読取モードへ移行することはない。つまり、制御部１１は、パスポートＰＰの挿入開始後に、ラインセンサ１３の走査モードを検出モードから読取モードへ移行させると判断しないまま所定時間が経過したときは、ガイダンスＧ２をタッチパネル１５に表示させることにより警告を発する。ガイダンスＧ２を表示させて警告を発することにより、パスポート情報が記載された見開き面のページの全範囲が読取可能範囲ＲＲに確実に入るまで、パスポートＰＰをさらに奥まで挿入することをパスポート所有者に対して促すことができる。
【００５８】
また、ステップＳＴ１３１においてパスポート端速度が許容速度ＡＳ１内に収まって（ステップＳＴ１３１：Ｙｅｓ）、処理がステップＳＴ１３３、ＳＴ１３５、ＳＴ０５（図９）と進むときは、制御部１１が、ラインセンサ１３の走査モードを検出モードから読取モードへ移行させると判断したときである。また、ステップＳＴ０９，ＳＴ１１（図９）では、読取ボタンがタッチされなくても、所定の経過時間を満了時間として設定されているタイマＴＭ１が満了した時点でパスポートＰＰの画像の読取が開始される。また、読取ボタンへのタッチは操作受付の一種である。つまり、制御部１１は、ラインセンサ１３の走査モードを検出モードから読取モードへ移行させると判断したときに、操作受付無しに、ラインセンサ１３によるパスポートＰＰの画像の読取を開始する。こうすることで、パスポートＰＰの画像の読取にあたり、キオスク端末１に対するパスポート所有者の操作負担を軽減することができる。
【００５９】
＜排出検出処理＞
図１１にステップＳＴ１５で行われる排出検出処理の詳細を示す。
【００６０】
排出検出処理では、まずステップＳＴ２０１において、制御部１１は、イメージセンサモジュール２４を待機位置ＨＰ１から停止位置ＳＰ１へ移動させ、停止位置ＳＰ１で停止させたままにする。
【００６１】
次いで、ステップＳＴ２０３では、制御部１１は、制御部１１が有するタイマＴＭ４を起動させる。タイマＴＭ４は、所定の経過時間を満了時間として設定されている。
【００６２】
次いで、ステップＳＴ２０５では、制御部１１は、停止位置ＳＰ１で停止したラインセンサ１３を用いて取得した画像の各画素の輝度値を取得し、全画素の輝度値が閾値ＴＨ２未満であるか否かを判断する。全画素の輝度値が閾値ＴＨ２未満である場合は（ステップＳＴ２０５：Ｙｅｓ）、制御部１１は画像読取モジュール２からのパスポートＰＰの排出が完了したと判断し、処理はステップＳＴ２１１へ進む。一方で、何れかの画素の輝度値が閾値ＴＨ２以上である場合は（ステップＳＴ２０５：Ｎｏ）、制御部１１は画像読取モジュール２からのパスポートＰＰの排出が完了していない判断し、処理はステップＳＴ２０７へ進む。
【００６３】
ステップＳＴ２０７では、制御部１１は、タイマＴＭ４が満了したか否かを判断する。タイマＴＭ４が満了している場合は（ステップＳＴ２０７：Ｙｅｓ）、処理はステップＳＴ２０９へ進み、タイマＴＭ４が満了していない場合は（ステップＳＴ２０７：Ｎｏ）、処理はステップＳＴ２０５へ戻る。
【００６４】
ステップＳＴ２０９では、制御部１１は、ワーニングメッセージＷＭをタッチパネル１５に表示させる。ワーニングメッセージＷＭの内容は、例えば、「パスポートを取り出して下さい。」というものである。ステップＳＴ２０９の処理後、処理はステップＳＴ２０５へ戻る。
【００６５】
ステップＳＴ２１１では、制御部１１は、パスポートＰＰの排出完了通知をタッチパネル１５に表示させる。排出完了通知の内容は、例えば、「パスポートの取り出しが確認されました。」というものである。
【００６６】
そして、ステップＳＴ２１３では、制御部１１は、イメージセンサモジュール２４を停止位置ＳＰ１から待機位置ＨＰ１へ移動させて待機位置ＨＰ１へ復帰させる。
【００６７】
ここで、ステップＳＴ１５の排出検出処理が行われるのは、パスポートＰＰの画像の読取完了後である。よって、制御部１１は、所定の経過時間を満了時間として設定されているタイマＴＭ４がパスポートＰＰの画像の読取完了後に満了したときに（ステップＳＴ２０７：Ｙｅｓ）、ワーニングメッセージＷＭをタッチパネル１５に表示させる。また、全画素のうち何れかの画素の輝度値が閾値ＴＨ２以上である場合は（ステップＳＴ２０５：Ｎｏ）、制御部１１は、パスポート所有者による画像読取モジュール２からのパスポートＰＰの排出が完了していないと判断する。つまり、制御部１１は、パスポートＰＰの画像の読取完了後に、所定時間内にパスポートＰＰの排出が完了しないときは、ワーニングメッセージＷＭをタッチパネル１５に表示させることにより警告を発する。ワーニングメッセージＷＭを表示させて警告を発することにより、パスポートＰＰの画像の読取完了後にパスポートＰＰが画像読取モジュール２内に留まったままになることを防止できるため、パスポート所有者によるパスポートＰＰの取り忘れを防止することができる。
【００６８】
以上、実施例１について説明した。
【００６９】
［実施例２］
実施例１では、画像読取モジュール２に対するパスポートＰＰの挿入方向と、ラインセンサ１３が有する複数の撮像素子の配列方向とは互いに平行であった。これに対し、実施例２では、画像読取モジュール２に対するパスポートＰＰの挿入方向と、ラインセンサ１３が有する複数の撮像素子の配列方向とが互いに直交する点が実施例１と異なる。
【００７０】
＜画像読取モジュールの構造＞
図１２は、実施例２の画像読取モジュールの構造の一例を示す図である。図１２の上部の図は側面透過図であり、図１２の下部の図は上面図である。図１２において、画像読取モジュール２は、上部カバー２１と、筐体２２と、原稿台ガラス２３と、イメージセンサモジュール２４と、パスポートガイド２５とを有する。画像読取モジュール２において、上部カバー２１と原稿台ガラス２３との間には、パスポートＰＰを画像読取モジュール２内へ挿入するための挿入口１６が形成される。画像読取モジュール２によるパスポート情報の読取の際には、パスポートＰＰは、パスポート所有者により、パスポートＰＰの見開き面を筐体２２の上面及び原稿台ガラス２３の上面に接触させた状態で（つまり、パスポートＰＰを裏向きにした状態で）、手動で、パスポート端ＥＧを先頭にして挿入口１６へ挿入される。よって、画像読取モジュール２に対するパスポートＰＰの挿入方向は＋Ｙ方向となる。
【００７１】
＜画像読取モジュールの動作＞
図１３〜図１５は、実施例２の画像読取モジュールの動作例の説明に供する図である。
【００７２】
図１３の上部左側の図は正面透過図であり、図１３の上部右側の図は側面透過図であり、図１３の下部の図は上面透過図である。以下、実施例１と異なる点について説明する。
【００７３】
イメージセンサモジュール２４は、読取可能範囲ＲＲから外れた位置を待機位置（ホームポジション）ＨＰ２にして待機し、制御部１１の制御の下で、駆動部１４の駆動により筐体２２内をＹ軸方向で移動可能である。また、ラインセンサ１３はＸ軸方向に一列に配列された複数の撮像素子を有するため、画像読取モジュール２に対するパスポートＰＰの挿入方向（＋Ｙ方向）と、ラインセンサ１３が有する複数の撮像素子の配列方向（Ｘ軸方向）とは互いに直交する。また、イメージセンサモジュール２４の主走査方向はＸ軸方向となり、イメージセンサモジュール２４の副走査方向はＹ軸方向となる。
【００７４】
制御部１１は、検出モードでは、イメージセンサモジュール２４を待機位置ＨＰ２から停止位置ＳＰ２に移動させた後、パスポート端ＥＧの＋Ｙ方向への移動に伴って、ラインセンサ１３をパスポート端ＥＧに追従させてイメージセンサモジュール２４を移動させる。また、制御部１１は、読取モードでは、ラインセンサ１３が読取可能範囲ＲＲの全範囲を走査するように、イメージセンサモジュール２４をＹ軸方向で移動させる。
【００７５】
図１４には、検出モードにおける画像読取モジュール２の動作例を示す。図１４において、パスポートＰＰは、挿入口１６を入口とし、挿入口１６から突き当たり部２１１へ向かって挿入される。また、時刻ｔ０以前の時刻に、制御部１１は、イメージセンサモジュール２４を待機位置ＨＰ２（図１３）から停止位置ＳＰ２（図１３）へ移動させる。
【００７６】
また、制御部１１は、検出モードの時刻ｔ０〜ｔ３の間において、イメージセンサモジュール２４をパスポート端ＥＧの移動に伴って移動させることにより、ラインセンサ１３をパスポート端ＥＧに追従させる。そして、制御部１１は、検出モードの時刻ｔ０〜ｔ３の各時刻において、一定の周期Ｔで、各時刻におけるラインセンサ１３のＹ軸方向での位置をパスポート端位置として検出するとともに、パスポート端速度を検出し、検出したパスポート端位置及びパスポート端速度を時刻ｔ０〜ｔ３の各時刻に対応付けて記憶部１７に記憶させる。
【００７７】
図１４では、イメージセンサモジュール２４が停止位置ＳＰ２で停止後、初めて時刻ｔ１で、制御部１１によりパスポート端ＥＧが検出される。時刻ｔ１でのパスポート端ＥＧの初めての検出は、ラインセンサ１３により読み取られる画像の輝度値の変化に基づいて行われる。時刻ｔ１において、パスポートＰＰが＋Ｙ方向へ進みつつパスポート端ＥＧがラインセンサ１３上を通過する際には画像の輝度値が上昇するため、制御部１１は、画像の輝度値の所定量以上の上昇を検出したことをもって時刻ｔ１でパスポート端ＥＧを検出したものとする。時刻ｔ１では、パスポート端ＥＧは未だ許容範囲ＡＲ１に達していない。
【００７８】
時刻ｔ１でパスポート端ＥＧがラインセンサ１３上を通過するため、時刻ｔ１〜ｔ２の間は、＋Ｙ方向において、パスポート端ＥＧはラインセンサ１３よりも進んだ位置にある。そこで、制御部１１は、時刻ｔ０でイメージセンサモジュール２４を停止位置ＳＰ２に移動させた後に時刻ｔ１でパスポート端ＥＧが初めて検出されると、イメージセンサモジュール２４の＋Ｙ方向への等加速度での移動を開始させる。
【００７９】
時刻ｔ１〜ｔ２の間でのイメージセンサモジュール２４の＋Ｙ方向への等加速度での移動により、時刻ｔ２で、ラインセンサ１３はパスポート端ＥＧに追いついてパスポート端ＥＧを通過する。この通過の際に画像の輝度値が低下するため、制御部１１は、画像の輝度値の所定量以上の低下を検出したことをもって時刻ｔ２でパスポート端ＥＧを検出したものとする。また、制御部１１は、イメージセンサモジュール２４の＋Ｙ方向への等加速度での移動に伴って画像の輝度値の所定量以上の低下を検出した時点で、所定時間だけイメージセンサモジュール２４を一旦停止させ、このイメージセンサモジュール２４の停止位置（つまり、ラインセンサ１３の停止位置）をパスポート端位置として検出して記憶部１７に記憶させる。時刻ｔ２でのイメージセンサモジュール２４の停止中に、再び、＋Ｙ方向において、パスポート端ＥＧはラインセンサ１３よりも先へ進む。制御部１１は、イメージセンサモジュール２４の＋Ｙ方向への等加速度での移動を伴う時刻ｔ１〜ｔ２における以上のような動作を繰り返すことにより、ラインセンサ１３をパスポート端ＥＧに追従させる。時刻ｔ２で、パスポート端ＥＧは許容範囲ＡＲ１に達する。
【００８０】
そして、時刻ｔ３で、パスポート端ＥＧは、上部カバー２１の側壁（つまり、突き当たり部２１１）に突き当たる。時刻ｔ３では、パスポート端ＥＧが時刻ｔ２の時点より＋Ｙ方向へさらに移動しているため、制御部１１は、ラインセンサ１３をパスポート端ＥＧに追従させてイメージセンサモジュール２４を＋Ｙ方向へ移動させる。
【００８１】
図１５には、図１４の動作例の時刻ｔ０〜ｔ３の各々に対応するパスポート端速度ＥＳ０〜ＥＳ３を示す。なお、時刻ｔ０〜ｔ３の各々に対応するパスポート端位置ＥＰ０〜ＥＰ３については、実施例１（図７）と同様になるため、図示を省略する。
【００８２】
実施例１と同様に、図７に示すように、時刻ｔ０でのパスポート端位置ＥＰ０及び時刻ｔ１でのパスポート端位置ＥＰ１は許容範囲ＡＲ１内にない。一方で、時刻ｔ２でのパスポート端位置ＥＰ２及び時刻ｔ３でのパスポート端位置ＥＰ３は許容範囲ＡＲ１内にある。また、図１５に示すように、時刻ｔ０でのパスポート端速度ＥＳ０、及び、時刻ｔ１でのパスポート端速度ＥＳ１は、許容速度ＡＳ１内にある。時刻ｔ０及び時刻ｔ１ではイメージセンサモジュール２４が停止位置ＳＰ２で停止しているため、制御部１１は、時刻ｔ０，ｔ１ではパスポート端位置を検出することが困難である。このため、時刻ｔ０でのパスポート端速度ＥＳ０、及び、時刻ｔ１でのパスポート端速度ＥＳ１は「ゼロ」として検出される。そして、時刻ｔ２でのパスポート端速度ＥＳ２は許容速度ＡＳ１内にない一方で、時刻ｔ３でのパスポート端速度ＥＳ３は許容速度ＡＳ１内にある。そこで、制御部１１は、パスポート端位置が許容範囲ＡＲ１内にないか、または、パスポート端速度が許容速度ＡＳ１内にない時刻ｔ０，ｔ１，ｔ２では、パスポートＰＰの挿入が完了していないと判断し、ラインセンサ１３の走査モードを、検出モードで維持したまま、読取モードへ移行させない。一方で、制御部１１は、パスポート端位置が許容範囲ＡＲ１内にあり、かつ、パスポート端速度が許容速度ＡＳ１内にある時刻ｔ３で、パスポートＰＰの挿入が完了したと判断し、ラインセンサ１３の走査モードを、検出モードから読取モードへ移行させる。このように、制御部１１は、実施例１と同様に、パスポート端位置及びパスポート端速度に基づいて、ラインセンサ１３の走査モードを検出モードから読取モードへ移行させるか否か判断する。
【００８３】
＜キオスク端末の処理＞
図１６は、実施例２のキオスク端末の処理の一例の説明に供するフローチャートである。以下では、実施例２の挿入検出処理について説明する。
【００８４】
＜挿入検出処理＞
図１６にステップＳＴ０３（図９）で行われる挿入検出処理の詳細を示す。以下では、実施例１の挿入検出処理（図１０）と異なる点について説明する。
【００８５】
ステップＳＴ１１３において、ガイダンスＧ１がタッチパネル１５に表示されている場合は（ステップＳＴ１１３：Ｙｅｓ）、処理はステップＳＴ１１５へ進み、ガイダンスＧ１がタッチパネル１５に表示されていない場合は（ステップＳＴ１１３：Ｎｏ）、ステップＳＴ１１５の処理が行われることなく処理はステップＳＴ３０１へ進む。
【００８６】
ステップＳＴ３０１では、制御部１１は、イメージセンサモジュール２４を等加速度で＋Ｙ方向へ移動させる。
【００８７】
次いで、ステップＳＴ３０３では、制御部１１は、ステップＳＴ３０１でのイメージセンサモジュール２４の移動の最中にラインセンサ１３によりパスポート端ＥＧが検出されたか否かを判断する。パスポート端ＥＧが検出されるまで（ステップＳＴ３０３：Ｎｏ）、ステップＳＴ３０１の処理が行われる。パスポート端ＥＧが検出されると（ステップＳＴ３０３：Ｙｅｓ）、処理はステップＳＴ３０５へ進む。
【００８８】
ステップＳＴ３０５では、パスポート端ＥＧが検出された時点でイメージセンサモジュール２４を一旦停止させて、ラインセンサ１３のＹ軸方向での位置をパスポート端位置として検出するとともに、パスポート端速度を検出する。
【００８９】
次いで、ステップＳＴ３０７では、制御部１１は、ステップＳＴ３０５で検出したパスポート端位置及びパスポート端速度を記憶部１７に記憶させる。
【００９０】
次いで、ステップＳＴ１２１では、制御部１１は、ステップＳＴ３０５で検出したパスポート端位置が許容範囲ＡＲ１内にあるか否かを判断する。パスポート端位置が許容範囲ＡＲ１内にある場合は（ステップＳＴ１２１：Ｙｅｓ）、処理はステップＳＴ１２７へ進み、パスポート端位置が許容範囲ＡＲ１内にない場合は（ステップＳＴ１２１：Ｎｏ）、処理はステップＳＴ１２５へ進む。
【００９１】
また、ステップＳＴ１３１では、制御部１１は、ステップＳＴ３０５で検出したパスポート端速度が許容速度ＡＳ１内にあるか否かを判断する。パスポート端速度が許容速度ＡＳ１内にある場合は（ステップＳＴ１３１：Ｙｅｓ）、処理はステップＳＴ１３３へ進み、パスポート端速度が許容速度ＡＳ１内にない場合は（ステップＳＴ１３１：Ｎｏ）、処理はステップＳＴ１２５へ進む。
【００９２】
ステップＳＴ１２５では、制御部１１は、ガイダンスＧ２をタッチパネル１５に表示させる。ステップＳＴ１２５の処理後、処理はステップＳＴ３０１へ戻る。
【００９３】
以上のように、実施例２では、画像読取モジュール２に対するパスポートＰＰの挿入方向（＋Ｙ方向）と、ラインセンサ１３が有する複数の撮像素子の配列方向（Ｘ軸方向）とが互いに直交するため、制御部１１は、検出モードでは、ラインセン１３をパスポート端ＥＧに追従させてパスポート端位置を検出する。こうすることで、パスポートＰＰの挿入方向と、ラインセンサ１３が有する複数の撮像素子の配列方向とが互いに直交する場合でも、パスポート端位置を検出することが可能になる。
【００９４】
一方で、実施例１では、画像読取モジュール２に対するパスポートＰＰの挿入方向（＋Ｙ方向）と、ラインセンサ１３が有する複数の撮像素子の配列方向（Ｙ軸方向）とは互いに平行であるため、イメージセンサモジュール２４を停止位置ＳＰ１に停止させたままで、パスポート端位置の検出が可能である。よって、実施例１では、実施例２に比べて、より簡易な処理でパスポート端位置を検出することができる。
【００９５】
以上、実施例２について説明した。
【００９６】
［実施例３］
ＭＲＺには、パスポート所有者の身元を明らかにするためのパスポート情報が記載されている。よって、ＭＲＺページの全範囲を読み取らなくても、ＭＲＺページ内のＭＲＺだけを読み取ることで、パスポート所有者の身元は明らかになる。そこで、実施例３では、読取可能範囲ＲＲの一部に設定される許容範囲の広さが、実施例１，２よりも大きい。
【００９７】
図１７は、実施例３の画像読取モジュールの動作例の説明に供する図である。図１７に示すように、実施例１，２の許容範囲ＡＲ１（図５，図１３）に比べて、実施例３の許容範囲ＡＲ２は大きい。例えば、許容範囲ＡＲ２のＹ軸方向の長さは、読取可能範囲ＲＲのＹ軸方向の長さから、ＭＲＺのＹ軸方向の長さ（つまり、ＭＲＺの短辺の長さ）を差し引いた長さに設定される。これにより、パスポートＰＰの挿入に伴ってパスポート端ＥＧが許容範囲ＡＲ２に達したときは、ＭＲＺの全範囲が読取可能範囲ＲＲに含まれることになって、ＭＲＺの全範囲が読取可能になる。よって、制御部１１が、パスポート端ＥＧが許容範囲ＡＲ２に達したと判断することは、制御部１１が、パスポートＰＰにおけるＭＲＺの全範囲が読取可能範囲ＲＲに入ったと判断することに相当する。そして、制御部１１は、パスポート端ＥＧが許容範囲ＡＲ２に達したと判断したときは、実施例１，２でパスポート端ＥＧが許容範囲ＡＲ１に達したと判断したときと同様に、ラインセンサ１３の走査モードを検出モードから読取モードへ移行させる。
【００９８】
このように、実施例３では、パスポートＰＰのＭＲＺの大きさに基づいて許容範囲ＡＲ２を設定する。こうすることで、パスポートＰＰの画像の読取を実施例１，２よりも早く開始することができるため、実施例１，２よりもパスポート情報を早く取得することができる。
【００９９】
以上、実施例３について説明した。
【０１００】
［実施例４］
図１８及び図１９は、実施例４の画像読取モジュールの構造の一例を示す図である。図１８及び図１９は側面透過図である。
【０１０１】
図１８及び図１９において、画像読取モジュール２は、フラップ２６と、板バネ２７とを有する。フラップ２６は、軸２８により支持されており、軸２８を回転軸として回転可能である。板バネ２７は、フラップ２６の先端部分を−Ｚ方向に原稿台ガラス２３に向かって押しつける。
【０１０２】
図１９に示すように、パスポート端ＥＧが上部カバー２１の側壁（つまり、突き当たり部２１１）に突き当たったときに、フラップ２６の先端部分は、板バネ２７の力によって、パスポートＰＰの見開き面のＭＲＺを裏側から押さえ付けることになる。このため、ＭＲＺと原稿台ガラス２３との密着度が高まる。よって、ＭＲＺの読取精度を高めることができる。フラップ２６の先端部分がパスポートＰＰを押さえ付ける位置は、許容範囲ＡＲ１に対応する位置に設定されることが好ましい。
【０１０３】
以上、実施例４について説明した。
【０１０４】
なお、実施例１〜４では、制御部１１は、ラインセンサ１３の走査モードを検出モードから読取モードへ移行させるか否かの判断を、パスポート端位置とパスポート端速度とに基づいて行った。しかし、制御部１１は、パスポート端速度を用いずに、パスポート端位置に基づいて、ラインセンサ１３の走査モードを検出モードから読取モードへ移行させるか否かを判断しても良い。パスポート端速度を用いないことにより、読み取られた画像にぶれが生じる可能性がある一方で、ラインセンサ１３の走査モードを検出モードから読取モードへ移行させるか否かの判断にかかる処理の量を削減することができるため判断時間を短縮することができる。
【０１０５】
以上のように、実施例１〜４では、キオスク端末１は、挿入口１６と、ラインセンサ１３と、制御部１１とを有する。ラインセンサ１３は、読取可能範囲ＲＲを有する。制御部１１は、検出モードでパスポート端位置を検出し、検出したパスポート端位置に基づいて、ラインセンサ１３の走査モードを、検出モードから読取モードへ移行させるか否かを判断する。
【０１０６】
こうすることで、ラインセンサ１３を用いて検出したパスポート端位置に基づいてパスポートＰＰの画像の読取を開始することができるため、安価な構成でキオスク端末１の操作性を向上させることができる。
【０１０７】
［実施例５］
記憶部１７は、ハードウェアとして、例えば、メモリにより実現される。メモリの一例として、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【０１０８】
制御部１１は、ハードウェアとして、例えばプロセッサにより実現される。プロセッサの一例として、ＣＰＵ（Central  Processing  Unit）、ＤＳＰ（Digital  Signal  Processor）、ＦＰＧＡ（Field  Programmable  Gate  Array）等が挙げられる。また、制御部１１は、プロセッサと周辺回路とを含むＬＳＩ（Large  Scale  Integrated  circuit）によって実現されても良い。さらに、制御部１１は、ＧＰＵ（Graphics  Processing  Unit）、ＡＳＩＣ（Application  Specific  Integrated  Circuit）等を用いて実現されても良い。
【０１０９】
キオスク端末１での上記説明における各処理の全部または一部は、各処理に対応するプログラムをキオスク端末１が有するプロセッサに実行させることによって実現しても良い。例えば、上記説明における各処理に対応するプログラムがメモリに記憶され、プログラムがプロセッサによってメモリから読み出されて実行されても良い。また、プログラムは、任意のネットワークを介してキオスク端末１に接続されたプログラムサーバに記憶され、そのプログラムサーバからキオスク端末１にダウンロードされて実行されたり、キオスク端末１が読み取り可能な記録媒体に記憶され、その記録媒体から読み出されて実行されても良い。キオスク端末１が読み取り可能な記録媒体には、例えば、メモリカード、ＵＳＢメモリ、ＳＤカード、フレキシブルディスク、光磁気ディスク、ＣＤ−ＲＯＭ、ＤＶＤ、及び、Ｂｌｕ−ｒａｙ（登録商標）ディスク等の可搬の記憶媒体が含まれる。また、プログラムは、任意の言語や任意の記述方法にて記述されたデータ処理方法であり、ソースコードやバイナリコード等の形式を問わない。また、プログラムは必ずしも単一的に構成されるものに限られず、複数のモジュールや複数のライブラリとして分散構成されるものや、ＯＳに代表される別個のプログラムと協働してその機能を達成するものも含む。
【０１１０】
キオスク端末１の分散・統合の具体的形態は図示するものに限られず、キオスク端末１の全部または一部を、各種の付加等に応じて、または、機能負荷に応じて、任意の単位で機能的または物理的に分散・統合して構成することができる。
【符号の説明】
【０１１１】
１  キオスク端末
２  画像読取モジュール
１１  制御部
１２  光源
１３  ラインセンサ
１４  駆動部
１５  タッチパネル
１６  挿入口
１７  記憶部
２１  上部カバー
２２  筐体
２３  原稿台ガラス
２４  イメージセンサモジュール
２５  パスポートガイド
【図１】
2019110419.tif 000003
【図２】
2019110419.tif 000004
【図３】
2019110419.tif 000005
【図４】
2019110419.tif 000006
【図５】
2019110419.tif 000007
【図６】
2019110419.tif 000008
【図７】
2019110419.tif 000009
【図８】
2019110419.tif 000010
【図９】
2019110419.tif 000011
【図１０】
2019110419.tif 000012
【図１１】
2019110419.tif 000013
【図１２】
2019110419.tif 000014
【図１３】
2019110419.tif 000015
【図１４】
2019110419.tif 000016
【図１５】
2019110419.tif 000017
【図１６】
2019110419.tif 000018
【図１７】
2019110419.tif 000019
【図１８】
2019110419.tif 000020
【図１９】
2019110419.tif 000021
【手続補正書】
【提出日】平成30年2月9日(2018.2.9)
【手続補正１】
【補正対象書類名】明細書
【補正対象項目名】００１７
【補正方法】変更
【補正の内容】
【００１７】
図５の上部の図は上面透過図であり、図５の下部左側の図は正面透過図であり、図５の下部右側の図は側面透過図である。
【手続補正２】
【補正対象書類名】明細書
【補正対象項目名】００７２
【補正方法】変更
【補正の内容】
【００７２】
図１３の上部の図は上面透過図であり、図１３の下部左側の図は正面透過図であり、図１３の下部右側の図は側面透過図である。以下、実施例１と異なる点について説明する。